(57)【要約】【課題】ユーザが新たな発見のある展示を見る機会を増やすことを可能とする。【解決手段】複数の展示物間の距離情報が格納された距離情報データベース１１と、ユーザの存在位置を示す位置情報、前記展示物を見る意思があることを示すマーキング情報およびユーザが見た展示物に対して下した評価情報を取得する情報取得手段１２と、前記位置情報を展示物毎に集計した展示混雑度情報および前記評価情報を展示物毎に集計した展示人気度情報を求める情報集計手段１３と、前記距離情報、位置情報、マーキング情報、評価情報、展示混雑度情報および展示人気度情報に基づいて、各展示物に対する満足度を示すユーザ／展示間コストを算出するコスト算出手段１４と、前記算出されたコストが最小となるユーザと展示物との組合せを求める組合せ最適化手段１５と、前記求められた組合せを推奨展示情報として前記ユーザに配信する情報配信手段１６と、を備える。【選択図】図２
2011107976.tif 000002
【特許請求の範囲】
【請求項１】
展示物に関する情報を配信する情報配信装置であって、
複数の展示物間の距離情報が格納された距離情報データベースと、
ユーザの存在位置を示す位置情報、前記展示物を見る意思があることを示すマーキング情報およびユーザが見た展示物に対して下した評価情報を取得する情報取得手段と、
前記情報取得手段により取得された、前記位置情報を展示物毎に集計した展示混雑度情報および前記評価情報を展示物毎に集計した展示人気度情報を求める情報集計手段と、
前記距離情報データベースに格納された距離情報、前記情報取得手段により取得された位置情報、マーキング情報、評価情報、前記情報集計手段により集計された展示混雑度情報および展示人気度情報に基づいて、各展示物に対する満足度を示すユーザ／展示間コストを算出するコスト算出手段と、
前記コスト算出手段により算出されたコストが最小となるユーザと展示物との組合せを求める組合せ最適化手段と、
前記組合せ最適化手段により求められた組合せを推奨展示情報として前記ユーザに配信する情報配信手段と、
を備えたことを特徴とする情報配信装置。
【請求項２】
展示物に関する情報を配信する情報配信方法であって、
情報取得手段が、ユーザの存在位置を示す位置情報、前記展示物を見る意思があることを示すマーキング情報およびユーザが見た展示物に対して下した評価情報を取得する情報取得ステップと、
情報集計手段が、前記情報取得手段により取得された、前記位置情報を展示物毎に集計した展示混雑度情報および前記評価情報を展示物毎に集計した展示人気度情報を求める情報集計ステップと、
コスト算出手段が、複数の展示物間の距離情報が格納された距離情報データベースの距離情報、前記情報取得手段により取得された位置情報、マーキング情報、評価情報、前記情報集計手段により集計された展示混雑度情報および展示人気度情報に基づいて、各展示物に対する満足度を示すユーザ／展示間コストを算出するコスト算出ステップと、
組合せ最適化手段が、前記コスト算出手段により算出されたコストが最小となるユーザと展示物との組合せを求める組合せ最適化ステップと、
情報配信手段が、前記組合せ最適化手段により求められた組合せを推奨展示情報として前記ユーザに配信する情報配信ステップと、
を備えたことを特徴とする情報配信方法。
【請求項３】
コンピュータを請求項１に記載の各手段として機能させる情報配信プログラム。
【発明の詳細な説明】
【技術分野】
【０００１】
本発明は、センサ情報を用いてユーザに情報を配信する情報配信装置、情報配信方法および情報配信プログラムに関する。
【背景技術】
【０００２】
現在、位置や行動予定、行動履歴等ユーザの状況に合わせてユーザの行動を支援する行動支援システム（特許文献１参照）等が提案されている。
【先行技術文献】
【特許文献】
【０００３】
【特許文献１】特許第４１２７８０９号公報
【発明の概要】
【発明が解決しようとする課題】
【０００４】
上記特許文献１に記載のシステムでは、ユーザの行動は一定の目的を持つことが想定されており、ユーザの行動予定をあらかじめ取得しておきユーザの状況と照らして。ユーザの行動を支援する情報を配信する。しかしながら、ユーザが動物園や博物館等の文化娯楽施設あるいは商品や製品等の展示会を訪れる場合は、見たい展示（展示物）を見るというあらかじめ定まった目的だけではなく、動物の珍しい行動や新しい機能を備えた製品等、未知の発見を期待している。また、そのような期待がなかったとしても、未知の発見が合った場合には、その場を訪れたことの満足度は高くなると考えられる。
【０００５】
尚、本明細書では、動物園の動物や博物館の展示物、展示会における商品や製品を展示（本発明の展示物）と呼び、展示を集めてユーザに提供する場所を展示会と呼ぶことにする。また、展示に対する情報を展示情報と呼ぶ。
【０００６】
ユーザが展示会に参加して満足度を高める要因としては、次のものがあげられる。
【０００７】
（１）見たい展示を十分に見ることができた。  
【０００８】
（２）新たな発見のある展示を見ることができた。  
【０００９】
（３）展示間を円滑に移動できた。
【００１０】
上記特許文献１のシステムでは、（１）と（３）の満足度には寄与できるが、（２）の満足度には十分に貢献しない。
【００１１】
本発明は上記課題を解決するものであり、その目的は、ユーザが新たな発見のある展示を見る機会を増やすことができる情報配信装置、方法、プログラムを提供することにある。
【課題を解決するための手段】
【００１２】
本発明では、展示会においてユーザが新たな発見のある展示を見る機会を増やすために、情報取得手段を通じて、展示に対するユーザの反応を明示的に入力させ、コスト算出手段により、ユーザの状況に加え他のユーザを含めたユーザの入力情報を利用して推奨展示情報を配信するように構成した。
【００１３】
すなわち、本発明の情報配信装置は、展示物に関する情報を配信する情報配信装置であって、複数の展示物間の距離情報が格納された距離情報データベースと、ユーザの存在位置を示す位置情報、前記展示物を見る意思があることを示すマーキング情報およびユーザが見た展示物に対して下した評価情報を取得する情報取得手段と、前記情報取得手段により取得された、前記位置情報を展示物毎に集計した展示混雑度情報および前記評価情報を展示物毎に集計した展示人気度情報を求める情報集計手段と、前記距離情報データベースに格納された距離情報、前記情報取得手段により取得された位置情報、マーキング情報、評価情報、前記情報集計手段により集計された展示混雑度情報および展示人気度情報に基づいて、各展示物に対する満足度を示すユーザ／展示間コストを算出するコスト算出手段と、前記コスト算出手段により算出されたコストが最小となるユーザと展示物との組合せを求める組合せ最適化手段と、前記組合せ最適化手段により求められた組合せを推奨展示情報として前記ユーザに配信する情報配信手段と、を備えたことを特徴としている。
【発明の効果】
【００１４】
本発明では、情報集計手段が展示人気度情報を求めることにより、他のユーザの評価を特定のユーザへの推奨展示情報配信に反映させている。これにより、そのユーザが気付かない、あるいは見過ごしがちな展示をそのユーザに提案することができる。また、ユーザが実際の会場で初めて興味の湧いた展示を簡単な操作により携帯情報端末等でマーキングしたマーキング情報を、情報取得手段によって取得しているので、未知の展示をユーザが能動的にピックアップ可能になり、新たな発見のある展示を見ることにつながる。さらに、ユーザ／展示間コストを算出することにより、ユーザのマーキングを適切なタイミングで展示のお薦め（推奨展示情報）に反映させているので、見たい展示をみることができ、展示間の円滑な移動にも寄与できる。
【図面の簡単な説明】
【００１５】
【図１】本発明の構成の概要を示す説明図。
【図２】本発明の情報配信装置の実施形態例を示す構成図。
【図３】本発明の情報配信方法の実施形態例を示すフローチャート。
【図４】図３の要部処理の詳細を示すフローチャート。
【図５】本発明の情報配信方法の実施形態例におけるユーザ情報／展示情報取得処理の説明図。
【発明を実施するための形態】
【００１６】
以下、図面を参照しながら本発明の実施の形態を説明するが、本発明は下記の実施形態例に限定されるものではない。
【００１７】
まず本発明の構成の概要を図１とともに説明する。図１において、各展示に対する情報（各展示に対して、ユーザがマーキングした情報やユーザが下した評価の情報など）を収集し（Ｓｔｅｐ１１０）、ユーザからユーザ情報（ユーザの位置情報）を収集し（Ｓｔｅｐ１２０）、それら収集した情報に基づいて、ユーザ／展示間コスト（ユーザがある展示を訪れた場合の満足度）およびユーザと展示の最適な組合せを求め（Ｓｔｅｐ１３０）、その最適な組合せに従ってユーザに推奨展示情報を配信する（Ｓｔｅｐ１４０）。
【００１８】
本発明では、展示会においてユーザが新たな発見のある展示を見る機会を増やすために、展示に対するユーザの反応を例えば携帯情報端末により明示的に入力させ、ユーザの状況に加え他のユーザを含めたユーザの入力情報を利用して推奨展示情報を配信する。
【００１９】
ユーザは展示に対し、マーキングと評価を行うことができる。マーキングは、後で見ることを忘れないように展示に対して目印をつける。ユーザがある展示を後で見るよう判断する理由としては、見ようと思った展示が混雑していたか、会場全体あるいはその一部を大雑把にみてまわりたい、ということが考えられる。展示に対する評価は、展示を納得いくまでに鑑賞・体験した後、展示に対する良否を記録し、後ほどその記録を閲覧可能にすることでその展示の想起を円滑に促す。
【００２０】
本発明では、他のユーザの評価を特定のユーザへの展示情報配信に反映させる。これにより、そのユーザが気付かない、あるいは見過ごしがちな展示をそのユーザに提案することができる。また、ユーザが実際の会場で初めて興味の湧いた展示を簡単な操作により携帯情報端末等でマーキングする機能を提供することで、未知の展示をユーザが能動的にピックアップ可能になり、新たな発見のある展示を見ることにつながる。さらに、ユーザのマーキングを適切なタイミングで展示のお薦め（推奨展示情報）に反映させることで、見たい展示をみることができ、展示間の円滑な移動にも寄与できる。
【００２１】
図２は本発明の情報配信装置の実施形態例の全体構成を示している。図２において、１１は複数の展示間の距離情報が格納された距離情報データベースである。
【００２２】
１２は、ユーザの携帯情報端末等のＧＰＳや無線ＬＡＮアクセスを通じて入力される、ユーザの存在位置を示す位置情報、前記展示を見る意思があることを示すマーキング情報およびユーザが見た展示に対して下した評価情報を取得する情報取得手段である。
【００２３】
１３は、前記情報取得手段１２により取得された、前記位置情報を展示毎に集計した展示混雑度情報および前記評価情報を展示毎に集計した展示人気度情報を求める情報集計手段である。
【００２４】
１４は、前記距離情報データベース１１に格納された距離情報、前記情報取得手段１２により取得された位置情報、マーキング情報、評価情報、前記情報集計手段１３により集計された展示混雑度情報および展示人気度情報に基づいて、各展示に対する満足度を示すユーザ／展示間コストを算出するコスト算出手段である。
【００２５】
尚、このユーザ／展示間コストは、あるユーザがある展示を訪れた場合の満足度を示し、コストの値が高ければ満足度は低く、コストの値が低ければ満足度は高くなるものである。
【００２６】
１５は、前記コスト算出手段１４により算出されたコストが最小となるユーザと展示との組合せを求める組合せ最適化手段である。
【００２７】
１６は、前記組合せ最適化手段１５により求められた組合せを推奨展示情報として前記ユーザに配信する情報配信手段である。
【００２８】
尚、前記各手段１２〜１６の、後述する各機能は例えばコンピュータによって達成される。
【００２９】
図３は、本発明の情報配信方法の実施形態例のフローチャートであり、図２の装置の各手段が実施する処理の手順（Ｓｔｅｐ）を示している。
【００３０】
以下、図３のＳｔｅｐにしたがって、本実施形態例における処理の流れを説明する。
（Ｓｔｅｐ２１０）  ユーザ情報／展示情報取得
情報取得手段１２および情報集計手段１３は、携帯情報端末等のＧＰＳや無線ＬＡＮアクセスを通じて入力される、ユーザの位置情報や展示に対するユーザのマーキング・評価を集計し、ユーザ情報／展示情報を取得する。  
【００３１】
尚、この処理の具体的な流れは、後の図４において詳述する。
【００３２】
ここでは、図５に示すように、ユーザＡ，Ｂ，Ｃならびに展示Ｘ，Ｙ，Ｚに対して、以下のユーザ情報／展示情報が取得されているとする（尚、位置は位置情報、マークはマーキング情報、評価は評価情報、混雑度は展示混雑度情報、人気度は展示人気度情報を示す）。
・ユーザＡ
≡位置：展示Ｘの近傍
≡マーク：Ｘ，Ｙ
≡評価：Ｚ／５
・ユーザＢ
≡位置：展示Ｘの近傍
≡マーク：Ｚ
≡評価：Ｙ／３
・ユーザＣ
≡位置：展示Ｙの近傍
≡マーク：なし
≡評価：Ｘ／１
・展示Ｘ
≡混雑度：５
≡人気度：１
・展示Ｙ
≡混雑度：１
≡人気度：３
・展示Ｚ
≡混雑度：３
≡人気度：５
（Ｓｔｅｐ２２０）  ユーザ／展示間コスト算出
コスト算出手段１４は、前記取得したユーザ情報／展示情報にしたがって、ユーザ／展示間Ａ：Ｘ，Ａ：Ｙ，Ａ：Ｚ，Ｂ：Ｘ，Ｂ：Ｙ，Ｂ：Ｚ，Ｃ：Ｘ，Ｃ：Ｙ，Ｃ：Ｚ，のコストを算出する。
【００３３】
例えば、ユーザ／展示間コストＡ：Ｘは、以下のように計算される。  
【００３４】
まず、コストの初期値として、１３を与える。  
【００３５】
次に、ユーザ／展示間の距離をコストに反映させるが、距離は展示間で与えられており（距離データベース１１に格納されている）、ユーザの位置情報によりユーザがどの展示に近接しているかがわかり、これによって、ユーザと展示間の距離を与える。展示間の距離は、図５に示す通りであり、ユーザＡの各展示との距離は以下の通りとなる。
・展示Ｘ：０
・展示Ｙ：３
・展示Ｚ：１
距離が小さいほどコストは低い。
【００３６】
したがって、ユーザ／展示間コストＡ：Ｘを１３＋０＝１３に更新する。
【００３７】
次に、展示に対するユーザのマーキングをユーザ／展示間のコストに反映させる。ユーザＡは、展示Ｘに対して、マークしているので、ユーザ／展示間コストＡ：Ｘを下げる。ここでは、展示に対してマークがあれば、コスト５単位下げ、マークがなければ、コストはそのままとする。  
【００３８】
したがって、ユーザ／展示間コストＡ：Ｘを１３−５＝８に更新する。
【００３９】
次に、展示に対するユーザの評価をユーザ／展示間のコストに反映させる。ユーザＡは、展示Ｘに対して、未評価なので、ユーザ／展示間コストＡ：Ｘを下げる。ここでは、展示に対して評価がなければ、コスト５単位下げ、評価があれば、その展示はもう見たということなので、コストは最高の２５に固定する。  
【００４０】
したがって、ユーザ／展示間コストＡ：Ｘを８−５＝３に更新する。
【００４１】
次に、展示の混雑度をユーザ／展示間のコストに反映させる。混雑度が高ければ、コストを上げる。ここでは、混雑度をそのままコストに加える。  
【００４２】
したがって、ユーザ／展示間コストＡ：Ｘを３＋５＝８に更新する。
【００４３】
次に、展示の人気度をユーザ／展示間のコストに反映させる。人気度が高ければ、コストを下げる。ここでは、人気度をそのままコストから減じる。  
【００４４】
したがって、ユーザ／展示間コストＡ：Ｘを８−１＝７に更新する。
【００４５】
以上をユーザ／展示間Ａ：Ｘ，Ａ：Ｙ，Ａ：Ｚ，Ｂ：Ｘ，Ｂ：Ｙ，Ｂ：Ｚ，Ｃ：Ｘ，Ｃ：Ｙ，Ｃ：Ｚの組合せに対してコストを算出する。
【００４６】
図５の状況におけるユーザ／展示間のコスト算出結果は下記の表１に示すとおりである。
【００４７】
【表１】
2011107976.tif 000003
【００４８】
なお、距離、マーキング、評価、混雑度、人気度のコスト要素は、適切に重み付けして、ユーザ／展示間コストを算出することが可能である。
【００４９】
前記ユーザ／展示間コストの計算において、前記実施例のように、評価有りの場合にコストを最高の２５に固定するのであれば、この評価をコストに反映させる処理を最初に行うようにし、前記２５に固定されたことをもって他の距離、マーキング、混雑度、人気度のコスト要素を各々反映させる処理を省略するようにしても良い。このようにすればコスト計算の手間を省くことができる。
（Ｓｔｅｐ２３０）  ユーザ／展示組合せ最適化
組合せ最適化手段１５は、前記算出したユーザ／展示間コストから、ユーザ／展示間コストの総計を最小化するユーザと展示との組合せを求める。ここでは、ユーザが各展示に集中しないよう、１ユーザに対して、１展示の組合せを求めることとする。この問題は、割当て問題として定式化でき、線形計画法等で解くことができる。
【００５０】
表１のユーザと展示との組合せを最適化した結果は下記の表２に示すとおりである。
【００５１】
【表２】
2011107976.tif 000004
【００５２】
この表２において、○で示した組合せが総計のコストを最小化する組合せである。
（Ｓｔｅｐ２４０）  ユーザへお薦め展示配信
情報配信手段１６は、前記最適化したユーザと展示との組合せにしたがって、ユーザへお薦めの展示を提案する（推奨展示情報として配信する）。  
【００５３】
すなわち表２の場合は、ＡにＸを、ＢにＺを、ＣにＹを各々提案する。
【００５４】
前記Ｓｔｅｐ２１０のユーザ情報／展示情報取得処理のフローチャートを図４に示す。
【００５５】
以下、図４のＳｔｅｐにしたがって、ユーザ情報／展示情報取得処理の流れの詳細を説明する。
（Ｓｔｅｐ３１０）  ユーザ位置情報取得
ユーザの位置情報は、ユーザが携行する携帯情報端末のＧＰＳや無線ＬＡＮアクセス状況等から、どの展示に近いかを、情報取得手段１２が図示省略のメモリなどに記録しておく。
（Ｓｔｅｐ３２０）  ユーザマーク情報取得
ユーザは、展示会の任意の場所で、携帯情報端末から所定のボタン押下等の簡易な手段でマーキングを実施する。マークはユーザの位置情報、すなわち近接する展示に対して行われ、情報取得手段１２がこれを取得する。
（Ｓｔｅｐ３３０）  ユーザ評価情報取得
ユーザは、展示の説明を受けたかもしくは展示の体験を終えたとき、その展示に対して、携帯情報端末から所定ボタンの複数回押下等の簡易な手段で評価を実施する。評価はユーザの位置情報、すなわち近接する展示に対して行われ、情報取得手段１２がこれを取得する。
（Ｓｔｅｐ３４０）  展示混雑度取得
各展示に対する混雑度は、取得したユーザの位置情報から情報集計手段１３が集計する。
（Ｓｔｅｐ３５０）  展示人気度取得
各展示に対する人気度は、取得したユーザの評価情報から情報集計手段１３が集計する。
【００５６】
また、本実施形態の情報配信装置における各手段の一部もしくは全部の機能をコンピュータのプログラムで構成し、そのプログラムをコンピュータを用いて実行して本発明を実現することができること、本実施形態の情報配信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００５７】
１１…距離情報データベース
１２…情報取得手段
１３…情報集計手段
１４…コスト算出手段
１５…組合せ最適化手段
１６…情報配信手段
【図１】
2011107976.tif 000005
【図２】
2011107976.tif 000006
【図３】
2011107976.tif 000007
【図４】
2011107976.tif 000008
【図５】
2011107976.tif 000009